(57)【要約】【課題】従来の発明では、立体的な表示を得ることはできるが人間の顔を映し出す場合、人間の顔の大きさ、形、目鼻口の位置に個体差があるため、簡易的な人体の顔を模した立体スクリーンへの投影では顔の特徴が表現しきれず、本物の顔に近づけるには困難であった。そこで本発明が解決しようとする課題は、より実際の顔に近い、リアルな立体映像を表示することである。【解決手段】発明の解決手段は、スクリーンに映像を投影し立体表示させる立体表示方法において、非接触3次元測定装置にて人物の顔形状を顔立体形状情報として取り込む工程と、前記顔立体形状情報に基づいて前記人物の形状である立体顔スクリーンを、光造型機によって作製する工程と、前記人物の顔映像を映像撮影手段にて取り込む工程と、前記立体顔スクリーンに、前記映像を映し出すステップを有することを特徴とする立体表示方法である。【選択図】図１
2011085686.tif 000002
【特許請求の範囲】
【請求項１】
スクリーンに映像を投影し立体表示させる立体表示方法において、
非接触３次元測定装置にて人物の顔形状を顔立体形状情報として取り込む工程と、
前記顔立体形状情報に基づいて前記人物の形状である立体顔スクリーンを、光造型機によって作製する工程と、
前記人物の顔映像を映像撮影手段にて取り込む工程と、
前記立体顔スクリーンに、前記映像を映し出すステップを有することを特徴とする立体表示方法。
【請求項２】
スクリーンに映像を投影し立体表示させる立体表示装置において、
非接触3次元測定装置にて人物の顔形状を顔立体形状情報として取り込み光造型機によって作製した前記人物の形状である立体顔スクリーンと、
前記人物の顔映像を前記映像を立体顔スクリーンに映し出すための映像投影手段と、
前期立体顔スクリーンに映し出す映像を制御するための電子計算機を有することを特徴とする立体表示装置。
【発明の詳細な説明】
【技術分野】
【０００１】
本発明は、映像を立体的に表示させる立体表示方法およびその装置に関する。
【背景技術】
【０００２】
従来、映像を表示させる装置としては、スクリーン等の平面的な投影面に対して、プロジェクター等の投影装置から映像を投影していた。しかし平面的な投影面に対して映像を投影するだけでは、立体的な映像表示を作り出すことができなかった。そこで、投影される映像を立体的なものとして、投影内容を視覚的に印象付けることができるようにした簡便な立体表示装置として特開平８−６１８５号公報に記載された発明が提案されている。この発明に依れば、簡易的な人体の顔を模した立体スクリーンに対して投影装置から映像を投影することで、立体的かつ動きのある映像を表示することができる。また特開平８−３１４４０１号公報に記載された発明に依れば、人形の形態に構成された中空の組立体の顔部に立体でなる透過型スクリーンを形成し、該透過型スクリーンに画像を投影し、眼、口、眉毛および顔部の表情を映出するディスプレイ装置が提案されている。
【先行技術文献】
【特許文献】
【０００３】
【特許文献１】特開平８−６１８５号公報
【特許文献２】特開平８−３１４４０１号公報
【発明の概要】
【発明が解決しようとする課題】
【０００４】
特開平８−６１８５号公報や特開平８−３１４４０１号公報に記載された発明では、立体的な表示を得ることはできるが人間の顔を映し出す場合、人間の顔の大きさ、形、目鼻口の位置に個体差があるため、簡易的な人体の顔を模した立体スクリーンへの投影では顔の特徴が表現しきれず、本物の顔に近づけるには困難であった。
そこで本発明が解決しようとする課題は、より実際の顔に近い、リアルな立体映像を表示することである。
【課題を解決するための手段】
【０００５】
課題を解決するための手段として本発明では、スクリーンに映像を投影し立体表示させる立体表示方法において、非接触3次元測定装置にて人物の顔形状を顔立体形状情報として取り込む工程と、前記顔立体形状情報に基づいて前記人物の形状である立体顔スクリーンを、光造型機によって作製する工程と、前記人物の顔映像を映像撮影手段にて取り込む工程と、前記立体顔スクリーンに、前記映像を映し出すステップを有することを特徴とする立体表示方法を用いた。
【発明の効果】
【０００６】
本発明の効果によれば、完全な個人の複製映像化が可能で、より実際の人物の顔に近い立体表示映像が得られる。
【図面の簡単な説明】
【０００７】
【図１】装置全体の構成図
【図２】装置全体の構成図（映像投影時）
【図３】光造形機にて作製した立体顔スクリーン
【図４】非接触三次元測定方法に用いる機器の構成図
【図５】光造形機の全体構成図
【図６】映像投影装置より撮影した映像を立体顔スクリーン裏面に投影した図
【図７】別角度から映像投影装置より撮影した映像を立体顔スクリーン裏面に投影した図
【発明を実施するための形態】
【０００８】
以下、図を参照して本発明の実施例を説明する。
【実施例１】
【０００９】
図１に本実施例の装置全体の構成図を示す。立体映像表示装置１は、映し出す対象個人の顔を非接触三次元測定装置にて形状測定を行い光造形機にて透明樹脂を用いて形状を作製した対象個人の立体顔スクリーン２、対象個人の映像を投影するための投影手段３、映像を投影手段から投射し、反射させて立体顔スクリーンに映し出すための反射手段４、投影手段で映像を再生した時に同時に音声を再生させるための音発生手段５、及び投影手段の映像と音発生手段の音を制御するための電子計算機６から構成されている。なお電子計算機と投影手段、電子計算機と音声再生装置は図示されていない配線で接続されている。本構成で用いる投影手段はプロジェクタであるが、オーバーヘッドプロジェクタ （ＯＨＰ）を用いても構わない。ただしＯＨＰを用いた場合は電子計算機から投影手段への制御は不要となる。プロジェクタを用いた場合の方がＯＨＰシートの取り替え等の作業を減らせるので、より簡易に行え、手間も省けるので望ましい。
【００１０】
反射手段は鏡を用いる。これは投影手段からスクリーンまである程度の距離が必要なためである。従って、この反射手段は凹レンズに変えることもできる。この場合、映像投影手段は顔スクリーンと一直線上に配置されることになる。従って凹レンズとした場合、よりコンパクトな表示方法を提供することができる。電子計算機にはＰＣを用いたがDVDプレーヤーを用いても良い。DVDプレーヤーの場合、別途ＤＶＤメディアが必要となり作業手順が増えるが、コストを安く抑えた立体表示方法が得られる。また、図1の立体顔スクリーンはポンチ絵で示した。図3以降において実施の立体顔スクリーンは示す。
【００１１】
図２に立体顔スクリーンに映像を投影した時の様子を図示する。映像投影手段から投影した映像は、反射手段を介して立体顔スクリーンに映し出される。この時、立体スクリーンに映し出される映像の人物の形状と、立体スクリーンの形状は同一の形状とすることができる。従って、立体顔スクリーン上では、映像投影手段から映し出される映像があたかも実際の人物がいるかのように見せられる。
【００１２】
図３に光造形機にて作製した立体顔スクリーンを図示する。この立体顔スクリーンを作成するために、まず、映し出す対象個人の顔を非接触三次元測定方法にて形状測定を行う。図４に非接触三次元測定方法に用いる機器の構成図を記載する。非接触三次元測定装置６にて個人の顔立体形状情報を測定し、電子計算機７では測定データを受信し、適宜データベースに３Ｄデータとして顔立体形状情報を保存する。電子計算機では表示画面より３DCADデータとして顔立体形状情報を確認できる。従って、測定が失敗した場合等その都度確認が行える。本実施例では測定対象８は説明のため人物の顔ではない例を記載している。その後、電子計算機では、顔立体形状情報に顔スクリーンを作製するため必要な厚みの肉厚を付けを行った加工顔立体形状情報を光造形機９へ送信し、受信した光造形機では、加工顔立体形状情報に基づいて加工顔立体形状情報から精密な立顔スクリーンを作製する。なお光造形機では液状の紫外線硬化樹脂（紫外線に反応し、硬化する液体） を光造形機の紫外線レーザーを使用して硬化させ、積層することで３Ｄのデーターと寸分違わぬ精密な立体物を、短時間で作成する。これにより、映像投影手段から投影される画像の人物と同一の形状を有した立体顔スクリーンが得られる。また立体顔スクリーンにはスクリーン裏面に白色スプレーを塗布し、散光面とする。
【００１３】
次に投影するための映像取得について記載する。映像撮影装置（デジタルビデオ等）にて対象個人の顔画像や個人の会話、複数の表情を撮影する。この際、複数の顔の表情、さまざま音声、会話を取り込むことで、後に投影した時にリアルな画像の取得ができる。撮影する映像の例として、病気で短命で子供の成長を見れない母親が将来の子供に向けてメッセージを残した映像や、おじいちゃんが元気なときの映像が挙げられる。これらの映像を取り込み保存し、必要な時に顔スクリーン投影することで、亡くなった後でも、墓参りに来たおばあちゃんとお話ができる等の効果を奏する。なお顔スクリーンと映し出す映像の人物の顔の形状は同一の形状である。
【００１４】
図６に映像投影装置より撮影した映像を立体顔スクリーンに裏面より投影した図を記載する。図７には別角度からの映像を図示する。表面のあらゆる方向から顔立体形状を見ると、撮影した動画、会話、表情の変化が散光面上に表示される。この時、目鼻口や小さな変化の表情がそのまま個人の顔に投影されることで、個人の顔の形に忠実な立体形状の映像が見れる。あたかもその場に本人がいるように印象づけられる。
【符号の説明】
【００１５】
１  体映像表示装置
２  立体顔スクリーン
３  投影手段
４  反射手段
５  音発生手段
６  電子計算機
７  電子計算機
８  測定対象
９  光造形機
【図１】
2011085686.tif 000003
【図２】
2011085686.tif 000004
【図３】
2011085686.tif 000005
【図４】
2011085686.tif 000006
【図５】
2011085686.tif 000007
【図６】
2011085686.tif 000008
【図７】
2011085686.tif 000009